(57)【要約】【課題】  両サイドをヒートシールした底ガゼット付きの合成樹脂製袋において、合成樹脂フィルムの使用量を増やすことなく、袋体のデットスペースを低減し、容積の増加、材料コスト、製造コストの低減などを図る。【解決手段】  表裏２枚のフィルム面２，３の下縁間に、断面Ｗ字形状に折り込まれた底ガゼット７を備え、それぞれのフィルム面２，３の左右の側縁部８ａ，８ｂを底ガゼット７の左右の端部９ａ，９ｂと一体にヒートシールして袋体１を構成する。フィルム面２，３の上縁側を各々内側に折り返しヒートシールして補強面部２０を形成し、この補強面部に手提げ用の開口又はスリットからなる手提げ部２１を形成する。【選択図】  図２
0003126785.tif 000002
【実用新案登録請求の範囲】
【請求項１】
底部に折込みガゼットを備えた合成樹脂フィルム製の底ガゼット付き袋であって、前記底ガゼットが、断面Ｗ字形状に折り込まれていることを特徴とする底ガゼット付き袋。
【請求項２】
左右の側縁部がヒートシールされていることを特徴とする請求項１記載の底ガゼット付き袋。
【請求項３】
一枚の合成樹脂フィルムの折曲げとヒートシールにより形成された合成樹脂フィルム製の底ガゼット付き袋であって、
袋体の表裏２枚のフィルム面の下縁間に、断面Ｗ字形状に折り込まれた底ガゼットを備え、且つ、前記それぞれのフィルム面の左右の側縁部が、前記底ガゼットの左右の端部と一体にヒートシールされていることを特徴とする底ガゼット付き袋。
【請求項４】
袋体の上縁開口側に手提げ用の開口又はスリットを備えたことを特徴とする請求項１〜３のいずれかに記載の底ガゼット付き袋。
【請求項５】
一枚の合成樹脂フィルムの折曲げとヒートシールにより形成された合成樹脂フィルム製の底ガゼット付き袋であって、
袋体の表裏２枚のフィルム面の下縁間に、断面Ｗ字形状に折り込まれた底ガゼットを備えると共に、前記表裏２枚のフィルム面の上縁側を各々内側又は外側に折り返した補強面部を有し、且つ、前記それぞれのフィルム面の左右の側縁部が前記底ガゼットの左右の端部と一体にヒートシールされており、前記それぞれの補強面部の下縁がヒートシールされており、該それぞれの補強面部に手提げ用の開口又はスリットを備えたことを特徴とする底ガゼット付き袋。
【考案の詳細な説明】
【技術分野】
【０００１】
本考案は、合成樹脂製の底ガゼット付き袋に関し、詳しくは、底部に折込みガゼットを備えた合成樹脂フィルム製の底ガゼット付き袋に関する。
【背景技術】
【０００２】
従来から、底部にガゼット状の折込を有し、両サイドをヒートシールしてなる合成樹脂製のガゼット袋が知られている（例えば特許文献１、２など参照）。
【０００３】
【特許文献１】特開２００２−３７０７５２号
【特許文献２】特開２００４−５９０９４号
【考案の開示】
【考案が解決しようとする課題】
【０００４】
従来の合成樹脂フィルム製の底ガゼット付き袋を図４，図５に示す。
この袋は、一枚の合成樹脂フィルムの折曲げとヒートシールにより形成されたもので、袋体１００を構成する表裏２枚のフィルム面１０１，１０２の下縁間に、折線１０３で断面Ｖ字形状に折り込まれた底ガゼット１０４を備えると共に、表裏２枚のフィルム面１０１，１０２の左右の側縁部１０５ａ，１０５ｂがヒートシールされており、該ヒートシール部により、底ガゼット１０４の左右の端部１０６ａ，１０６ｂも一緒にヒートシールされている。
【０００５】
このような従来の底ガゼット付き袋は、使用時において、底ガゼット１０４の幅寸法Ｄ分だけ拡がって所定の容積を有するようになるが、実際には、底ガゼット１０４の端部において、折線１０３の端部とヒートシール部１０５ａ，１５０ｂとの接合点１０７ａ，１０７ｂと、底ガゼット１０４の外縁（フィルム面１０１，１０２の下縁）との間に、三角形状の区画面１０８ａ，１０８ｂが形成され、その分だけ、袋体１００において無駄が生じる。
【０００６】
すなわち、区画面１０８ａ，１０８ｂの大きさは、底辺（底ガゼット１０４の幅寸法Ｄ）×高さ（ヒートシールされた底ガゼット１０４の左右の端部１０６ａ，１０６ｂ＝Ｄ／２）÷２で求められるので、底ガゼット１０４の幅寸法Ｄが大きくなるほど、区画面１０８ａ，１０８ｂによるデッドスペースが大きくなる。
このような問題を解消するために、両サイドをヒートシールせず、底辺をシールした横ガゼット付の袋体にすることも考えられるが、このような袋体では、底辺から上縁開口に向かって間口が拡がる逆三角形状の構造となり、内容物が不安定になって使い勝手が悪くなるなどの問題が生じる。
【０００７】
本考案はこのような従来事情に鑑みてなされたもので、その目的とする処は、底部にガゼット状の折込を有し、両サイドをヒートシールしてなる合成樹脂製のガゼット袋において、合成樹脂フィルムの使用量を増やすことなく、前記したデットスペースを低減することができる、新規な合成樹脂フィルム製底ガゼット付き袋を提供することにある。
【課題を解決するための手段】
【０００８】
以上の目的を達成するために本考案は、底部に折込みガゼットを備えた合成樹脂フィルム製の底ガゼット付き袋であって、前記底ガゼットが、断面Ｗ字形状（三つ折り状）に折り込まれていることを特徴とする。
また本考案は、袋本体の左右の側縁部がヒートシールされていることを特徴とする。
【０００９】
また本考案は、一枚の合成樹脂フィルムの折曲げとヒートシールにより形成された合成樹脂フィルム製の底ガゼット付き袋であって、
袋体の表裏２枚のフィルム面の下縁間に、断面Ｗ字形状に折り込まれた底ガゼットを備え、且つ、前記それぞれのフィルム面の左右の側縁部が、前記底ガゼットの左右の端部と一体にヒートシールされていることを特徴とする。
【００１０】
本考案において、袋体の上縁開口側に手提げ用の開口又はスリットを備えることが好ましい。
【００１１】
また本考案は、一枚の合成樹脂フィルムの折曲げとヒートシールにより形成された合成樹脂フィルム製の底ガゼット付き袋であって、
袋体の表裏２枚のフィルム面の下縁間に、断面Ｗ字形状に折り込まれた底ガゼットを備えると共に、前記表裏２枚のフィルム面の上縁側を各々内側又は外側に折り返した補強面部を有し、且つ、前記それぞれのフィルム面の左右の側縁部が前記底ガゼットの左右の端部と一体にヒートシールされており、前記それぞれの補強面部の下縁がヒートシールされており、該それぞれの補強面部に手提げ用の開口又はスリットを備えたことを特徴とする。
【考案の効果】
【００１２】
本考案に係る合成樹脂フィルム製底ガゼット付き袋は以上説明したように構成したので、袋本体に形成されるデッドスペースが小さくなり、無駄を低減することができる。よって、合成樹脂フィルムの使用量を減らしても従来と同等の容積を得ることができると共に、合成樹脂フィルム使用量の低減に伴う材料コストの低下、製造コストの低下や、合成樹脂の廃棄処理量の低減により地球環境の改善にも寄与し得るなど、多くの効果が期待できる。
【考案を実施するための最良の形態】
【００１３】
以下、実施形態の一例を図１〜図３に基づき説明する。
本例のガゼット付き袋は、一枚の合成樹脂フィルムの折曲げにより底部にガゼット状の折込みを形成した後、両サイドをヒートシールしてなるもので、図１、図２に示すように、袋体１を構成する表裏２枚のフィルム面２，３の下縁間に、折線４，５，６で断面Ｗ字形状（三つ折り状）に折り込まれた底ガゼット７を備え、フィルム面２，３の左右の側縁部８ａ，８ｂがヒートシールされており、該ヒートシール部により、底ガゼット７の左右の端部９ａ，９ｂも一緒にヒートシールされている。
【００１４】
そして、このガゼット付き袋は、使用時において、底ガゼット７の幅寸法Ｄ分だけ拡がって所定の容積を有するようになるが、実際には、底ガゼット７の端部において、折線４，６の端部とヒートシール部８ａ，８ｂとの接合点１０ａ，１０ｂと、それら折線４，６及び底ガゼット７の外縁（フィルム面２，３の下縁）との間に、三角形状の区画面１１ａ，１１ｂが形成され、これがデッドスペースとなる分だけ、袋体１に無駄が生じる。
【００１５】
しかし、区画面１１ａ，１１ｂの大きさは、底辺（底ガゼット７の幅寸法Ｄ）×高さ（ヒートシールされた底ガゼット１０４の左右の端部９ａ，９ｂ＝Ｄ／４）÷２で求められるので、従来の区画面（図４，図５に示す１０８ａ，１０８ｂ）に比べ大幅に低減される。よって、前述したデッドスペースは従来に比べ大幅に小さくなり、無駄も低減される。
【００１６】
また、本例のガゼット付き袋は、袋体１の上部に、フィルム面２，３の上縁側をそれぞれ内側に折り返し且つその下縁２０ａをヒートシールした補強面部２０と、その補強面部２０に形成した手提げ部２１を有し、手提げ部２１は、補強面部２０に設けた開口又はスリットからなる。
【００１７】
以下、本考案に係るガゼット付き袋の製造方法の一例を、図３に基づいて説明する。
この例のガゼット付き袋は、一枚の合成樹脂フィルムの折曲げとヒートシールにより形成されるもので、合成樹脂フィルムとしては、ポリプロピレン製、ポリエチレン製、ポリ塩化ビニル製、その他の合成樹脂からなるフィルムを用いることができる。
【００１８】
このような合成樹脂フィルム３０を、図３（ａ）に示すように所定の大きさに裁断し、又は、図示しないが裁断せずに連続シート状のまま、図３（ｂ）に示すように端部を内側に折曲げて下縁をヒートシールすることで、前述した補強面部２０を形成する。
次に、図３（ｃ）に示すように、合成樹脂フィルムを二つ折りにして、袋体１を構成する表裏２枚のフィルム面２，３を重ねると共に、それらフィルム面２，３の下縁間に、断面Ｗ字形状に折り込まれた底ガゼット７を形成する。
さらに、表裏２枚のフィルム面２，３の左右の側縁部８ａ，８ｂを、底ガゼット７の左右の端部９ａ，９ｂと一体にヒートシールして袋体１を形成する。
最後に、又は中途工程において、前記補強面部２０に手提げ用の開口又はスリットを形成する。
このような方法によれば、本考案に係る合成樹脂フィルム製底ガゼット付き袋を簡単に製造することができる。
【００１９】
以上、本考案の実施形態の一例とその製造方法の一例を図面に基づき説明したが、本考案に係る合成樹脂フィルム製の底ガゼット付き袋およびその製造方法は図示例に限定されるものではなく、実用新案登録請求の範囲に記載された技術的思想の範疇において、種々の変更が可能であることは言うまでもない。
【図面の簡単な説明】
【００２０】
【図１】本考案の底ガゼット付き袋の実施形態の一例を表し、（ａ）は正面図、（ｂ）はＸ−Ｘ線に沿う簡略断面図を示す。
【図２】図１に示す底ガゼット付き袋の使用状態に係る斜視図で、一部切欠して表す。
【図３】図１に示す底ガゼット付き袋の製造方法の一例を示す斜視図。
【図４】従来の底ガゼット付き袋を表し、（ａ）は正面図、（ｂ）はＹ−Ｙ線に沿う簡略断面図を示す。
【図５】図４に示す底ガゼット付き袋の使用状態に係る斜視図で、一部切欠して表す。
【符号の説明】
【００２１】
１：袋体
２，３：フィルム面
４，５，６：底ガゼットの折線
７：底ガゼット
８ａ，８ｂ：ヒートシール
２０：補強面部
２１：手提げ部
【図１】
0003126785.tif 000003
【図２】
0003126785.tif 000004
【図３】
0003126785.tif 000005
【図４】
0003126785.tif 000006
【図５】
0003126785.tif 000007